(57)【要約】【課題】非操作時の消費電力を低減できるポインティングデバイスに関し、操作体を押圧する押圧ストローク又は押圧力の変動に基づいて出力がアナログ的に変化するボリュームを用いると、４つのボリュームを要し、回路構成が複雑になる。【解決手段】操作体１０の非操作時、ボリューム摺動子５，８が接触しない非接触区間２４ｃ，３４ｃを基板２のボリューム回路パターン２０，３０に設け、操作体１０の操作時、開回路から閉回路となるリニア型のｘ軸方向ボリューム１３及びリニア型のｙ軸方向ボリューム１４を構成し、操作体１０のｘ軸方向の位置及びｙ軸方向の位置をそれぞれアナログ出力するようにする。【選択図】図１
2014235536.tif 000002
【特許請求の範囲】
【請求項１】
ｘｙ平面を有する基板と、
上記基板のｘｙ平面上の全方向に対し、上記ｘｙ平面と平行に移動可能な操作体と、
上記操作体の移動に伴って上記ｘｙ平面のｘ軸方向にのみ直線的に移動し、上記操作体のｘ軸方向の位置を伝達するｘ軸方向ガイド体と、
上記操作体の移動に伴って上記ｘｙ平面のｙ軸方向にのみ直線的に移動し、上記操作体のｙ軸方向の位置を伝達するｙ軸方向ガイド体と、
上記ｘ軸方向ガイド体に取付けられ、該ｘ軸方向ガイド体と共に上記ｘ軸方向にのみ直線的に移動するｘ軸方向ボリューム摺動子と、
上記ｙ軸方向ガイド体に取付けられ、該ｙ軸方向ガイド体と共に上記ｙ軸方向にのみ直線的に移動するｙ軸方向ボリューム摺動子と、
上記ｘｙ平面上に形成されるｘ軸方向ボリューム回路パターン及びｙ軸方向ボリューム回路パターンと、を有し、
上記各ボリューム摺動子は、それぞれ、一対の摺動接点を設け、
上記各ボリューム回路パターンは、それぞれ、対応する方向の上記ボリューム摺動子の一方の摺動接点が摺動する矩形状の抵抗パターンと、上記抵抗パターンの両端に同じ電圧を掛けるため上記抵抗パターンの一端から導出された入力電極パターン及び上記抵抗パターンの他端から導出されたＧＮＤパターンと、対応する方向の上記ボリューム摺動子の他方の摺動接点が摺動する出力電極パターンと、を有し、上記出力電極パターンに、上記操作体の非操作時、上記他方の摺動接点が接触しない非接触区間を設け、上記操作体の操作時、開回路から閉回路となることを特徴とするポインティングデバイス。
【請求項２】
ｘｙ平面を有する基板と、
上記基板のｘｙ平面上の全方向に対し、上記ｘｙ平面と平行に移動可能な操作体と、
上記操作体の移動に伴って上記ｘｙ平面のｘ軸方向にのみ直線的に移動し、上記操作体のｘ軸方向の位置を伝達するｘ軸方向ガイド体と、
上記操作体の移動に伴って上記ｘｙ平面のｙ軸方向にのみ直線的に移動し、上記操作体のｙ軸方向の位置を伝達するｙ軸方向ガイド体と、
上記ｘ軸方向ガイド体に取付けられ、該ｘ軸方向ガイド体と共に上記ｘ軸方向にのみ直線的に移動するｘ軸方向ボリューム摺動子と、
上記ｙ軸方向ガイド体に取付けられ、該ｙ軸方向ガイド体と共に上記ｙ軸方向にのみ直線的に移動するｙ軸方向ボリューム摺動子と、
上記ｘｙ平面上に形成されるｘ軸方向ボリューム回路パターン及びｙ軸方向ボリューム回路パターンと、を有し、
上記各ボリューム摺動子は、それぞれ、一対の摺動接点を設け、
上記各ボリューム回路パターンは、それぞれ、対応する方向の上記ボリューム摺動子の一方の摺動接点が摺動する矩形状の抵抗パターンと、上記抵抗パターンの両端に同じ電圧を掛けるため上記抵抗パターンの一端から導出された第一入力電極パターン及び上記抵抗パターンの他端から導出された第二入力電極パターン、又は上記抵抗パターンの両端間を短絡する短絡用電極パターン及びその短絡用電極パターンから導出された入力電極パターンと、上記抵抗パターンの中点に一端が当接されたＧＮＤパターンと、対応する方向の上記ボリューム摺動子の他方の摺動接点が摺動する出力電極パターンと、を有し、上記出力電極パターンに、上記操作体の非操作時、上記他方の摺動接点が接触しない非接触区間を設け、上記操作体の操作時、開回路から閉回路となることを特徴とするポインティングデバイス。
【請求項３】
上記基板には、上記操作体の直下に二つの電極を配置するスイッチパターンが形成されると共に、上記操作体の押圧操作によって二つの電極を短絡する可動接点が配置される請求項１又は２に記載のポインティングデバイス。
【請求項４】
各種電子・電気機器を遠隔操作するリモートコントロールに搭載される請求項１乃至３のいずれかに記載のポインティングデバイス。
【発明の詳細な説明】
【技術分野】
【０００１】
本発明は、非操作時の消費電力を低減できる入力装置としてのポインティングデバイスに関するものである。
【背景技術】
【０００２】
コンピュータなどの入力装置として、操作体を押圧する押圧ストローク又は押圧力の変動に基づいて出力がアナログ的に変化するものがある。
【０００３】
例えば特許文献１、２に開示された入力装置は、基板のｘｙ平面上に平面形状が十字形状の操作体を有しており、この操作体の４つの端部下方に、それぞれ、ボリューム抵抗体と電極が対向配置されている。操作体のある１つの端部が押されると、押された端部の下方に配置されているボリューム抵抗体と電極との接触面積が、押圧ストローク又は押圧力が大きくなるに連れて増大し、出力がアナログ的に変化する。そして、ｘ軸方向に並んだ２つの第一及び第二ボリュームからの出力に基づくｘ軸方向の座標入力と、ｙ軸方向に並んだ２つの第一及び第ボリュームからの出力に基づきｙ軸方向の座標入力とで、Ｘ−Ｙ座標を入力するものとなっている。
【先行技術文献】
【特許文献】
【０００４】
【特許文献１】特開２００５−５６１０４号公報
【特許文献２】特開２００５−９２３３９号公報
【発明の概要】
【発明が解決しようとする課題】
【０００５】
上記従来の入力装置は、例えば画面に表示されるカーソルの操作に４つのボリュームを要し、回路の構成や制御が複雑になるという問題がある。
【０００６】
また上記従来の入力装置では、周辺部が４つのボリュームに専有され、中央部が操作体の支点やマイコンの動作モードを切り換えるスイッチに専有され、例えばマウスのクリック操作のような決定（選択）入力を行うスイッチのスペースを確保することが困難で、決定入力を行うことが困難なことも問題である。
【０００７】
本発明は、上記のような従来の問題に鑑みてなされたもので、非操作時の消費電力を低減することができると共に、回路を簡潔化することができるポインティングデバイスを提供することを主たる目的としている。
【課題を解決するための手段】
【０００８】
上記課題の第一の解決手段は、本願請求項１に係る発明のポインティングデバイスの次の構成よりなる。なお（）内の符号は対応する実施例（実施例１）のものであるが、本願請求項１に係る発明はそれに限定されるものではない。
ｘｙ平面（２ｃ）を有する基板（２）と、
上記基板のｘｙ平面上の全方向に対し、上記ｘｙ平面と平行に移動可能な操作体（１０）と、
上記操作体の移動に伴って上記ｘｙ平面のｘ軸方向にのみ直線的に移動し、上記操作体の上記ｘ軸方向の位置を伝達するｘ軸方向ガイド体（４）と、
上記操作体の移動に伴って上記ｘｙ平面のｙ軸方向にのみ直線的に移動し、上記操作体の上記ｙ軸方向の位置を伝達するｙ軸方向ガイド体（７）と、
上記ｘ軸方向ガイド体に取付けられ、該ｘ軸方向ガイド体と共に上記ｘ軸方向にのみ直線的に移動するｘ軸方向ボリューム摺動子（５）と、
上記ｙ軸方向ガイド体に取付けられ、該ｙ軸方向ガイド体と共に上記ｙ軸方向にのみ直線的に移動するｙ軸方向ボリューム摺動子（８）と、
上記ｘｙ平面上に形成されるｘ軸方向ボリューム回路パターン（２０）及びｙ軸方向ボリューム回路パターン（３０）と、を有し、
上記各ボリューム摺動子（５），（８）は、それぞれ、一対の摺動接点（５ｄ，５ｅ），（８ｄ，８ｅ）を設け、
上記各ボリューム回路パターン（２０），（３０）は、それぞれ、対応する方向の上記ボリューム摺動子の一方の摺動接点（５ｄ），（８ｄ）が摺動する矩形状の抵抗パターン（２１），（３１）と、上記抵抗パターンの両端に同じ電圧を掛けるため上記抵抗パターンの一端から導出された入力電極パターン（２２），（３２）及び上記抵抗パターンの他端から導出されたＧＮＤパターン（２３），（３３）と、対応する方向の上記ボリューム摺動子の他方の摺動接点（５ｅ），（８ｅ）が摺動する出力電極パターン（２４），（３４）と、を有し、上記出力電極パターンに、上記操作体の非操作時、上記他方の摺動接点が接触しない非接触区間（２４ｃ），（３４ｃ）を設け、上記操作体の操作時、開回路から閉回路となる。
【０００９】
上記課題の第二の解決手段は、本願請求項２に係る発明のポインティングデバイスの次の構成よりなる。なお（）内の符号は対応する実施例（実施例２）のものであるが、本願請求項２に係る発明はそれに限定されるものではない。
ｘｙ平面（２ｃ）を有する基板（２）と、
上記基板のｘｙ平面上の全方向に対し、上記ｘｙ平面と平行に移動可能な操作体（１０）と、
上記操作体の移動に伴って上記ｘｙ平面のｘ軸方向にのみ直線的に移動し、上記操作体の上記ｘ軸方向の位置を伝達するｘ軸方向ガイド体（４）と、
上記操作体の移動に伴って上記ｘｙ平面のｙ軸方向にのみ直線的に移動し、上記操作体の上記ｙ軸方向の位置を伝達するｙ軸方向ガイド体（７）と、
上記ｘ軸方向ガイド体に取付けられ、該ｘ軸方向ガイド体と共に上記ｘ軸方向にのみ直線的に移動するｘ軸方向ボリューム摺動子（５）と、
上記ｙ軸方向ガイド体に取付けられ、該ｙ軸方向ガイド体と共に上記ｙ軸方向にのみ直線的に移動するｙ軸方向ボリューム摺動子（８）と、
上記ｘｙ平面上に形成されるｘ軸方向ボリューム回路パターン（２０）及びｙ軸方向ボリューム回路パターン（３０）と、を有し、
上記各ボリューム摺動子（５），（８）は、それぞれ、一対の摺動接点（５ｄ，５ｅ），（８ｄ，８ｅ）を設け、
上記各ボリューム回路パターン（２０），（３０）は、それぞれ、対応する方向の上記ボリューム摺動子の一方の摺動接点（５ｄ），（８ｄ）が摺動する矩形状の抵抗パターン（２１），（３１）と、上記抵抗パターンの両端に同じ電圧を掛けるため上記抵抗パターンの一端から導出された第一入力電極パターン（２２），（３２）及び上記抵抗パターンの他端から導出された第二入力電極パターン（１２２），（１３２）又は上記抵抗パターンの両端間を短絡する短絡用電極パターン及びその短絡用電極パターンから導出された入力電極パターンと、上記抵抗パターンの中点に一端が当接されたＧＮＤパターン（２３），（３３）と、対応する方向の上記ボリューム摺動子の他方の摺動接点（５ｅ），（８ｅ）が摺動する出力電極パターン（２４），（３４）と、を有し、上記出力電極パターンに、上記操作体の非操作時、上記他方の摺動接点が接触しない非接触区間（２４ａ），（３４ａ）を設け、上記操作体の操作時、開回路から閉回路となる。
【発明の効果】
【００１０】
本発明によれば、操作体の位置をｘ軸方向ボリューム（１３）及びｙ軸方向ボリューム（１４）の２つのボリュームによって検出可能となり、回路を簡潔化することができ、操作体の非操作時、上記２つのボリュームが閉回路になっておらず、マイコンをスリープさせて、消費電力を低減することができる。
【００１１】
また、基板（２）には、操作体（１０）の直下に二つの固定電極（４１ａ，４２ａ）を配置するスイッチパターン（４０）が形成されると共に、操作体の押圧操作によって二つの上記固定電極を短絡する可動電極（３）が配置されるようにすると、ポインティングデバイス（１），（１００）の中央部に決定用プッシュスイッチ（１５）を組込むことができる。
【図面の簡単な説明】
【００１２】
【図１】本願請求項１に係る発明の実施例（実施例１）によるポインティングデバイスの分解斜視図。
【図２】実施例１によるポインティングデバイスの組立て状態の斜視図。
【図３】図２のＹ−Ｙ線断面図。
【図４】図２のＸ−Ｘ線断面図。
【図５】実施例１によるポインティングデバイスの基板側からボディ内を見た様子を示す図。
【図６】実施例１によるポインティングデバイスの基板の平面図。
【図７】実施例１によるポインティングデバイスとマイコンとの接続関係を示す図。
【図８】（Ａ）実施例１によるポインティングデバイスのｘ，ｙ軸方向ボリュームの動作説明図、（Ｂ）実施例１によるポインティングデバイスのｘ，ｙ軸方向ボリュームのボリューム摺動子位置と出力電圧との関係を示す図。
【図９】本願請求項２に係る発明の実施例（実施例２）によるポインティングデバイスの基板の平面図。
【図１０】実施例２によるポインティングデバイスとマイコンとの接続関係を示す図。
【図１１】（Ａ）実施例２によるポインティングデバイスのｘ，ｙ軸方向ボリュームの動作説明図、（Ｂ）実施例２によるポインティングデバイスのｘ，ｙ軸方向ボリュームのｘ，ｙ軸方向ボリューム摺動子位置と出力電圧との関係を示す図。
【発明を実施するための形態】
【００１３】
以下、本発明の実施例を図面に基づいて説明する。本実施例では、テレビジョン受像機を赤外線を用いて遠隔操作するバッテリ駆動のリモートコントロール（以下、「リモコン」という。）に搭載され、テレビジョン受像機の設定時や視聴時に画面に表示される複数の選択肢の中からある選択指を指定するポインティングデバイスに本発明を適用し、ポインティングデバイスの非操作時、リモコンの内蔵マイコン（ワンチップ・マイコン）のクロックを停止したり、分周した周波数に落とし、ＣＰＵをスリープ・モードにする一方、ポインティングデバイスの操作時、ポインティングデバイスからの割込みを利用し、Ｉ／Ｏ端子の電圧変化により、スリープ状態のＣＰＵをウェイクアップする。これにより、ポインティングデバイスが搭載されたリモコンの消費電力を抑える。
【実施例１】
【００１４】
実施例１は、本願請求項１に係る発明の実施例である。図１は、実施例１によるポインティングデバイス１の分解斜視図である。図１に示すように、ポインティングデバイス１は、平面形状がｙ軸方向を長手方向とする矩形状のプリント基板（リジッド基板：ＰＣＢ、フレキシブル基板：ＦＰＣ、いずれでも可）からなる基板２と、平面形状が円形であり、上向きに膨らんだドーム状金属板からなるスナッププレート３と、平面形状がｙ軸方向を長手方向とする矩形状である板状のｘ軸方向ガイド体４と、ｘ軸方向ガイド体４の長手方向一端部下面に固定取付けされたｘ軸方向ボリューム摺動子５と、ｘ軸方向ガイド体４の長手方向他端部上面に形成された上面開放の可動側収容部４ａ内にｘ軸方向に伸縮可能に配置されたｘ軸方向弾性体６と、ｘ軸方向を長手方向とする矩形状である板状のｙ軸方向ガイド体７と、ｙ軸方向ガイド体７の長手方向一端部下面に固定取付けされたｙ軸方向ボリューム摺動子８と、ｙ軸方向ガイド体７の長手方向他端部上面に形成された上面開放の可動側収容部７ａ内にｙ軸方向に伸縮可能に配置されたｙ軸方向弾性体９と、上部に円盤状のキートップ１０ａを有する操作体１０と、平面形状が正方形である下面開放の箱状のボディ１１と、平面形状が正方形である下面開放の箱状のカバー１２とから構成されている。カバー１２は絶縁性樹脂材料からなり、カバー１２の上面板の中央部には円形の開口１２ａが形成され、カバー１２の四隅から棒状の位置決めピン１２ｂが垂下形成されている。ボディ１１は絶縁性樹脂材料からなり、ボディ１１の上面板の中央部にも円形の開口１１ａが形成されると共に、ボディ１１の四隅には各位置決めピン１２ｂを挿通させる位置決め孔１１ｂが形成されている。またボディ１１にはｘ軸方向に向く一対の外壁面下部から一対の取付けフランジ１１ｃが突出形成されている。ボディ１１と対向する基板２の正方形部分の四隅にも各位置決めピン１２ｂを挿通させる位置決め孔２ａが形成されている。ボディ１１からはみ出す基板２のｙ軸方向一端部分は外部接続部２ｂになっている。
【００１５】
図２は、ポインティングデバイス１の組立て状態の斜視図、図３は、図２のＹ−Ｙ線断面図、図４は、図２のＸ−Ｘ線断面図である。図２〜図４に示すように、ポインティングデバイス１は、基板２上にボディ１１及びカバー１２がこの順に積み重ねられ、全体として平面形状が正方形の箱状に組立てられている。この組立て状態において、カバー１２の各位置決めピン１２ｂはボディ１１の対応する位置決め孔１１ｂ及び基板２の対応する位置決め孔２ａに挿通されている。これにより、基板２に対しボディ１１及びカバー１２が位置決めされている。また、基板２の下面側に貫通した各位置決めピン１２ｂの下端部には抜止め座１２ｃが溶解形成されている。これにより、基板２とボディ１１及びカバー１２が一体に結合されている。また、カバー１２の開口１２ａからキートップ１０ａが上向きに突出されており、ポインティングデバイス１の最上部にはキートップ１０ａの上面が露出して配置されている。ポインティングデバイス１の最下部では一対の取付けフランジ１１ｃ及び基板２の外部接続部２ｂが突出して配置されている。そして、ポインティングデバイス１は、リモコンに搭載された使用状態において、最下部の一対の取付けフランジ１１ｃがリモコンの筐体内にビス止めで固定されると共に、同じく最下部の基板２の外部接続部２ｂがリモコンの内蔵マイコンや各種キースイッチが実装されたプリント回路基板の外部接続部とフレキシブルケーブル（ＦＦＣ）等により接続される。また、最上部のキートップ１０ａの上面が、リモコンの操作面上に他の操作スイッチのキートップと共に露出して配置され、ポインティングデバイス１の操作面となる。
【００１６】
図５は、基板２側からボディ１１内を見た様子を示す図である。図２〜図５にはポインティングデバイス１の非操作時の状態を示してある。図３〜図５に示すように、ボディ１１内には、基板２側から見た形状が十字形である下面開放の収容凹部１１ｄが形成されている。この収容凹部１１ｄにおいて、基板２側から見た形状がｙ軸方向を長手方向とした矩形状である下面開放のｙ軸方向収容部１１ｅ内にｘ軸方向ガイド体４が収容配置され、基板２側から見た形状がｘ軸方向を長手方向とした矩形状である下面開放のｘ軸方向収容部１１ｆ内にｙ軸方向ガイド体７がｘ軸方向ガイド体４の下面側に重なるようにして収容配置されている。ｘ軸方向ガイド体４は、その上面に形成された可動側収容部４ａ及び可動側ガイドレール４ｂとボディ１１に形成された２本のｘ軸方向固定側ガイドレール１１ｇによって、ｙ軸方向の原点Ｏに対し位置決めされた状態で、ボディ１１の下面に広がる基板２の上面（上表面）からなるｘｙ平面２ｃ上のｙ軸方向収容部１１ｅ内を、ｘｙ平面２ｃと平行にｘ軸方向に直線的にスライドすることができる。ｙ軸方向ガイド体７は、その上面に形成された可動側収容部７ａ及び可動側ガイドレール７ｂとボディ１１に形成された２本のｙ軸方向固定側ガイドレール１１ｈによって、ｘ軸方向の原点Ｏに対し位置決めされた状態で、ｘｙ平面２ｃ上のｘ軸方向収容部１１ｆ内を、ｘｙ平面２ｃと平行にｙ軸方向に直線的にスライドすることができる。
【００１７】
各ボリューム摺動子５，８は、それぞれ、薄板状の導電性金属材料を打抜き加工及び曲げ加工することによって形成されている。各ボリューム摺動子５，８には、それぞれ、対応する各ガイド体４，７の長手方向一端部下面に固定取付けされる基部５ａ，８ａと、この基部５ａ，８ａの一端部から対応する各ガイド体４，７の幅手方向に沿って平行して斜め下方に延出された片持ち梁状の一対のバネ部５ｂ、５ｃ，８ｂ、８ｃと、各バネ部５ｂ、５ｃ，８ｂ、８ｃの先端部にそれぞれ下向き凸状に形成された一対の摺動接点５ｄ、５ｅ，８ｄ，８ｅとが設けられている。ｘ軸方向ガイド体４の長手方向一端部下面に固定取付けされたｘ軸方向ボリューム摺動子５は、一対の摺動接点５ｄ、５ｅが一対のバネ部５ｂ、５ｃによってｘｙ平面２ｃ上におけるｙ軸方向の一端部中央部に押付けられた状態でｘ軸方向ガイド体４と共にスライドすることができる。ｙ軸方向ガイド体７の長手方向一端部下面に固定取付けされたｙ軸方向ボリューム摺動子８は、一対の摺動接点８ｄ、８ｅが一対のバネ部８ｂ、８ｃによってｘｙ平面２ｃ上におけるｘ軸方向の一端部中央部に押付けられた状態でｙ軸方向ガイド体７と共にスライドすることができる。
【００１８】
各弾性体６，９は、それぞれ、対応するガイド体４，７の長手方向他端部上面に形成された上面開放の可動側収容部４ａ，７ａと、対応するガイド体４，７がそれぞれの軸方向の原点Ｏに位置する時、可動側収容部４ａ，７ａと完全に重なり合うようにボディ１１に形成された下面開放の固定側収容部１１ｉ，１１ｊとの間に跨り、少し圧縮された状態で収容されている。ｘ軸方向弾性体６は、ｘ軸方向ガイド体４の移動時、その操作力解除に伴ってｘ軸方向ガイド体４をｘ軸方向の原点Ｏに復帰させ、かつその原点Ｏに保持させることができる。ｙ軸方向弾性体９は、ｙ軸方向ガイド体７の移動時、その操作力解除に伴ってｙ軸方向ガイド体７をｙ軸方向の原点Ｏに復帰させ、かつその原点Ｏに保持することができる。
【００１９】
スナッププレート３は、ボディ１１の下面に広がるｘｙ平面２ｃ上の中心部に配置されると共に、スナッププレート３の上からｘｙ平面２ｃに貼着される片面粘着テープによって位置固定されている。このスナッププレート３は、中心部が上方から押圧されると中央部が下向きに膨らんだドーム状に反転変形（弾性変位）し、押圧が解除されると元の上向きに膨らんだドーム状に復帰することができる。
【００２０】
操作体１０は、絶縁性樹脂材料からなり、キートップ１０ａの外周壁面下端部から円形の鍔部１０ｂが突出されると共に、キートップ１０ａの下面中央部から丸棒状のセンターキー１０ｃが垂下された形状に形成されている。この操作体１０は、キートップ１０ａの鍔部１０ｂがカバー１２内に配置され、キートップ１０ａの上部がカバー１２の開口１２ａからカバー１２の上方外部に突出され、センターキー１０ｃの下部がボディ１１の開口１１ａからボディ１１内に突出されている。また、各ガイド体４，７の中央部には、それぞれ、ガイド孔４ｃ，７ｃが形成されており、センターキー１０ｃの下部が、ｘ軸方向ガイド体４のガイド孔４ｃに挿通され、さらにｙ軸方向ガイド体７のガイド孔７ｃに挿通されて、センターキー１０ｃの下端面が、スナッププレート３に対向当接されている。ｘ軸方向ガイド体４のガイド孔４ｃは、センターキー１０ｃのｙ軸方向の移動量のみを吸収するようにｙ軸方向を長径方向とする長円形に形成され、ｙ軸方向ガイド体７のガイド孔７ｃは、センターキー１０ｃのｘ軸方向の移動量のみを吸収するようにｘ軸方向を長径方向とする長円形に形成されている。そして、操作体１０は、センターキー１０ｃの下端面がスナッププレート３に当接されて、鍔部１０ｂの上面がカバー１２に形成された円形リング状の下向き凸部１２ｄに押付けられ、ｘｙ平面２ｃ上に直角に立てられた状態で、ボディ１１及びカバー１２の中央部に収容配置されており、センターキー１０ｃの下端面がスナッププレート３の中心から外れず、どの位置においてもスナッププレート３を押圧し動作させることができる範囲内を、ｘｙ平面２ｃ上の全方向に対し、ｘｙ平面２ｃと平行にスライドすることができる。また、操作体１０の操作時、その操作力解除に伴って各ガイド体４，７が各弾性体６，９によりそれぞれの軸方向の原点Ｏに復帰することにより原点Ｏに復帰させ、かつその原点Ｏに保持することができる。一方、各ガイド体４，７は、操作体１０の操作時、ｘ軸方向ガイド体４が操作体１０のｘ軸方向の移動量に応じてｘ軸方向に移動し、ｙ軸方向ガイド体７が操作体１０のｙ軸方向の移動量に応じてｙ軸方向に移動することができる。これにより、各ガイド体４，７は、操作体１０の移動量をｘ軸方向の移動量とｙ軸方向の移動量とに分解し、ｘ軸方向ガイド体４により操作体１０のｘ軸方向の位置をｘ軸方向ボリューム摺動子５に伝達し、ｙ軸方向ガイド体７により操作体１０のｙ軸方向の位置をｙ軸方向ボリューム摺動子８に伝達することができる。
【００２１】
図６は、基板２の平面図である。図６に示すように、ボディ１１の下面に広がるｘｙ平面２ｃ上には、ｘ軸方向ボリューム摺動子５の位置を電圧に変換するｘ軸方向ボリューム回路パターン２０及びｙ軸方向ボリューム摺動子８の位置を電圧に変換するｙ軸方向ボリューム回路パターン３０と、スイッチパターン４０とが形成されている。
【００２２】
各ボリューム回路パターン２０，３０は、それぞれ、ボリューム抵抗パターン２１，３１と、このボリューム抵抗パターン２１，３１の両端に同じ電源電圧Ｖｃｃを掛けるため、ボリューム抵抗パターン２１，３１の一端から導出された入力電極パターン２２，３２及びボリューム抵抗パターン２１，３１の他端から導出されたＧＮＤ（グランド）パターン２３，３３と、出力電極パターン２４，３４とから構成されている。
【００２３】
各ボリューム抵抗パターン２１，３１は、それぞれ、平面形状が矩形状のカーボン膜からなる。ｘ軸方向ボリューム抵抗パターン２１は、ｘｙ平面２ｃ上におけるｙ軸方向の一端部中央部にｘ軸方向を長手方向として形成され、このｘ軸方向ボリューム抵抗パターン２１上でｘ軸方向ボリューム摺動子５の一方（外側）の摺動接点５ｄが摺動すると共に、ｘ軸方向ガイド体４が原点Ｏに復帰時、摺動接点５ｄはｘ軸方向ボリューム抵抗パターン２１の中点（中心）に接触する（図５参照）。ｙ軸方向ボリューム抵抗パターン３１は、ｘｙ平面２ｃ上におけるｘ軸方向の一端部中央部にｙ軸方向を長手方向として形成され、このｙ軸方向ボリューム抵抗パターン３１上でｙ軸方向ボリューム摺動子８の一方（外側）の摺動接点８ｄが摺動すると共に、ｙ軸方向ガイド体７が原点Ｏに復帰時、摺動接点８ｄはｙ軸方向ボリューム抵抗パターン３１の中点（中心）に接触する（図５参照）。
【００２４】
各ボリューム抵抗パターン２１，３１以外の各パターン２２，３２、２３，３３、２４，３４は、それぞれ、各ボリューム抵抗パターン２１，３１よりも電気抵抗が十分に小さい銀，金，銅等の金属膜からなる。各入力電極パターン２２，３２は、それぞれ、その一端が対応するボリューム抵抗パターン２１，３１の一端に接続され、他端は基板２の外部接続部２ｂの上面に引出されて電圧入力端子２２ａ，３２ａになっている。各ＧＮＤパターン２３，３３は、それぞれ、その一端が対応するボリューム抵抗パターン２１，３１の他端に接続され、他端は基板２の外部接続部２ｂの上面に引出されてＧＮＤ端子２３ａ，３３ａになっている。なお、２本のＧＮＤパターン２３，３３においては、途中で１本化されており、２つのＧＮＤ端子２３ａ，３３ａは、１つの共通ＧＮＤ端子になっている。各出力電極パターン２４，３４は、それぞれ、その一端が、対応するボリューム抵抗パターン２１，３１に対し所定の間隔を設けて平行に配置される平行電極２４ａ，３４ａになっており、他端は基板２の外部接続部２ｂの上面に引出されて電圧出力端子２４ｂ，３４ｂになっている。そして、ｘ軸方向ボリューム回路パターン２０においては、ｘ軸方向ボリューム摺動子５のもう一方（内側）の摺動接点５ｅがｘ軸方向平行電極２４ａ上で摺動し、ｘ軸方向ボリューム抵抗パターン２１とｘ軸方向出力電極パターン２４との間がｘ軸方向ボリューム摺動子５によって短絡され、ｙ軸方向ボリューム回路パターン３０においては、ｙ軸方向ボリューム摺動子８のもう一方（内側）の摺動接点８ｅがｙ軸方向平行電極３４ａ上で摺動し、ｙ軸方向ボリューム抵抗パターン３１とｙ軸方向出力電極パターン３４との間がｙ軸方向ボリューム摺動子８によって短絡される。
【００２５】
以上の構成において、操作体１０が原点Ｏから操作され、ｘ軸方向に対して移動すると、該移動に応じてｘ軸方向ボリューム摺動子５がｘ軸方向ボリューム抵抗パターン２１及びｘ軸方向平行電極２４ａ上で摺動する。また、操作体１０が原点Ｏから操作され、ｙ軸方向に対して移動すると、該移動に応じてｙ軸方向ボリューム摺動子８がｙ軸方向ボリューム抵抗パターン３１及びｙ軸方向平行電極３４ａ上で摺動する。そして、操作体１０におけるｘ軸方向の移動量に応じてｘ軸方向ボリューム抵抗パターン２１の抵抗値が、また、操作体１０におけるｙ軸方向の移動量に応じてｙ軸方向ボリューム抵抗パターン３１の抵抗値が、それぞれ変化し、操作体１０の可動領域内におけるｘ軸方向位置及びｙ軸方向位置にそれぞれ対応した電圧値Ｖｘ，Ｖｙを各電圧出力端子２４ｂ，３４ｂから出力することができる。つまり基板２，操作体１０，ｘ軸方向ガイド体４，ｘ軸方向ボリューム摺動子５，ｘ軸方向ボリューム回路パターン２０によってリニア型のｘ軸方向ボリューム１３（図７参照）が構成され、基板２，操作体１０，ｙ軸方向ガイド体７，ｙ軸方向ボリューム摺動子８，ｙ軸方向ボリューム回路パターン３０によってリニア型のｙ軸方向ボリューム１４（図７参照）が構成されている。
【００２６】
ここで、ｘ軸方向平行電極２４ａには、ｘ軸方向ガイド体４が原点Ｏに復帰時、摺動接点５ｅが接触しない非接触区間２４ｃを設けてあり、摺動接点５ｅは、ｘ軸方向ガイド体４が原点Ｏから一定量以上移動した時にのみｘ軸方向平行電極２４ａに接触する（図５参照）。また、ｙ軸方向平行電極３４ａには、ｙ軸方向ガイド体７が原点Ｏに復帰時、摺動接点８ｅが接触しない非接触区間３４ｃを設けてあり、摺動接点８ｅは、ｙ軸方向ガイド体７が原点Ｏから一定量以上移動した時にのみｙ軸方向平行電極３４ａに接触する（図５参照）。
【００２７】
スイッチパターン４０は、２つの固定接点パターン４１，４２から構成されている。この２つの固定接点パターン４１，４２は、それぞれ、各ボリューム抵抗パターン２１，３１以外の各パターン２２，３２、２３，３３、２４，３４と同じ金属膜からなる。一方の固定接点パターン４１は、その一端が円形の内側固定電極４１ａになっており、他端は基板２の外部接続部２ｂの上面に引出されて一方のスイッチ端子４１ｂになっている。もう一方の固定接点パターン４２は、その一端が内側固定電極４１ａの周囲に同芯状に配置される円形リング状の外側固定電極４２ａになっており、他端は基板２の外部接続部２ｂの上面に引出されてもう一方のスイッチ端子４２ｂになっている。外側固定電極４２ａは、その一部に切れ間４２ｃを設けてＣ形状とされ、その切れ間４２ｃに一方の固定接点パターン４２の内側固定電極４１ａとスイッチ端子４１ｂとの間の配線部分を通すと共に、切れ間４２ｃの上部には絶縁性のレジスト膜４２ｄを設けてある。そして、スナッププレート３の外周縁部が外側固定電極４２ａと常時接触し、スナッププレート３の中央部が内側固定電極４１ａに対し接離可能に離反対向するように、２つの同芯な内外側固定電極４１ａ，４２ａはｘｙ平面２ｃ上における中心部に形成されている。
【００２８】
以上の構成において、操作体１０が押圧操作されｚ軸方向に沿って下向きに押し込まれると、スナッププレート３の中央部が下向きに膨らんだドーム状に反転変形（弾性変位）して内側固定電極４１ａと接触し、内外側固定電極４１ａ，４２ａ間を導通させ、押圧が解除されると元の上向きに膨らんだドーム状に復帰して内外側固定電極４１ａ，４２ａ間の導通を断つことができる。このようにして、操作体１０の押圧操作によりスイッチパターン４０の２つの固定接点パターン４１，４２をスナッププレート３を介して導通することができる。つまり基板２，操作体１０，スナッププレート３（可動電極），スイッチパターン４０により決定（選択）用プッシュスイッチ１５が構成されている。
【００２９】
図７は、ポインティングデバイス１とマイコン５０との接続関係を示す図である。マイコン５０は、リモコンの内蔵マイコンであり、クロック発信器、ＣＰＵ，記憶部、Ａ／Ｄ変換部およびＩ／Ｏ端子部等を有するワンチップ・マイコン（ＩＣ）である。ポインティングデバイス１は、制御部としてマイコン５０を有し、そのマイコン５０に接続されるｘ軸方向ボリューム１３及びｙ軸方向ボリューム１４と決定用プッシュスイッチ１５から構成されている。ｘ軸方向ボリューム１３において、ＧＮＤパターン２３のＧＮＤ端子２３ａは接地（ＧＮＤ）と接続され、入力電極パターン２２の電圧入力端子２２ａは、マイコン５０の電源電圧出力ポート５１ｘに接続され、出力電極パターン２４の電圧出力端子２４ｂは、マイコン５０のアナログ入力ポート５２ｘ及び割込み入力ポート５３ｘに接続されている。割込み入力ポート５３ｘは、原点Ｏから一定量以上操作体１０がｘ軸方向に対し操作されていない時、つまりｘ軸方向ボリューム摺動子５の摺動接点５ｅがｘ軸方向平行電極２４ａに設けられた非接触区間２４ｃ内にあり、マイコン５０からはｘ軸方向ボリューム回路パターン２０が閉回路にはなっておらず、開回路になっている時、マイコン５０の内蔵プルアップ抵抗器５４ｘ（代わりに外部プルアップ抵抗器を設けてもよい）によって電源電圧Ｖｃｃが印加されて高電位になり、原点Ｏから一定量以上操作体１０がｘ軸方向に対し操作された時、つまりｘ軸方向ボリューム摺動子５の摺動接点５ｅがｘ軸方向平行電極２４ａに設けられた非接触区間２４ｃを出てｘ軸方向平行電極２４ａに接触し、マイコン５０からはｘ軸方向ボリューム回路パターン２０が開回路から閉回路になった時、接地電圧Ｖ０が印加されて低電位になる。そして、マイコン５０は、割込み入力ポート５３ｘの電圧レベルを監視し、割込み入力ポート５３ｘの電圧レベルが高電位から低電位に変化した時、原点Ｏから一定量以上操作体１０がｘ軸方向に対し操作されたと判断し、スリープ状態からウェイクアップしてｘ軸方向位置検知モードに移行し、自身の電源電圧出力ポート５１ｘに対し内蔵無接点スイッチからなるｘ軸方向位置検知スイッチ５５ｘ（代わりに外部有接点スイッチからなるｘ軸方向位置検知スイッチを設けてもよい）を介して電源電圧Ｖｃｃを印加する一方、割込み入力ポート５３ｘの電圧レベルが一定時間連続して高電位の時、原点Ｏから一定量以上操作体１０がｘ軸方向に対し操作されていないと判断し、スリープ・モードに移行して自身の消費電力を低減することができる。
【００３０】
ｙ軸方向ボリューム１４において、ＧＮＤパターン３３のＧＮＤ端子３３ａは接地（ＧＮＤ）と接続され、入力電極パターン３２の電圧入力端子３２ａは、マイコン５０の電源電圧出力ポート５１ｙに接続され、出力電極パターン３４の電圧出力端子３４ｂは、マイコン５０のアナログ入力ポート５２ｙ及び割込み入力ポート５３ｙに接続されている。割込み入力ポート５３ｙは、原点Ｏから一定量以上操作体１０がｙ軸方向に対し操作されていない時、つまりｙ軸方向ボリューム摺動子８の摺動接点８ｅがｙ軸方向平行電極３４ａに設けられた非接触区間３４ｃ内にあり、マイコン５０からはｙ軸方向ボリューム回路パターン３０が閉回路にはなっておらず、開回路になっている時、マイコン５０の内蔵プルアップ抵抗器５４ｙ（代わりに外部プルアップ抵抗器を設けてもよい）によって電源電圧Ｖｃｃが印加されて高電位になり、原点Ｏから一定量以上操作体１０がｙ軸方向に対し操作された時、つまりｙ軸方向ボリューム摺動子８の摺動接点８ｅがｙ軸方向平行電極３４ａに設けられた非接触区間３４ｃを出てｙ軸方向平行電極３４ａに接触し、マイコン５０からはｙ軸方向ボリューム回路パターン３０が開回路から閉回路になった時、接地電圧Ｖ０が印加されて低電位になる。そして、マイコン５０は、割込み入力ポート５３ｙの電圧レベルを監視し、割込み入力ポート５３ｙの電圧レベルが高電位から低電位に変化した時、原点Ｏから一定量以上操作体１０がｙ軸方向に対し操作されたと判断し、スリープ状態からウェイクアップしてｙ軸方向位置検知モードに移行し、自身の電源電圧出力ポート５１ｙに対し内蔵無接点スイッチからなるｘ軸方向位置検知スイッチ５５ｙ（代わりに外部有接点スイッチからなるｘ軸方向位置検知スイッチを設けてもよい）を介して電源電圧Ｖｃｃを印加する一方、割込み入力ポート５３ｙの電圧レベルが一定時間連続して高電位の時、原点Ｏから一定量以上操作体１０がｙ軸方向に対し操作されていないと判断し、スリープ・モードに移行して自身の消費電力を低減することができる。
【００３１】
操作体１０の操作時、通常、操作体１０がｙ軸方向の移動成分を含まずｘ軸方向にのみ移動したり、ｘ軸方向の移動成分を含まずｙ軸方向にのみ移動することは殆どないので、マイコン５０は、各割込み入力ポート５３ｘ，５３ｙの各電圧レベルのいずれか一方が高電位から低電位に変化した時、位置検知モードに移行し、各割込み入力ポート５３ｘ，５３ｙの各電圧レベルの両方が一定時間連続して高電位の時、スリープ・モードに移行する。
【００３２】
決定用プッシュスイッチ１５において、一方の固定接点パターン４１のスイッチ端子４１ｂはマイコン５０の入力ポート５６に接続され、もう一方の固定接点パターン４２のスイッチ端子４２ｂは接地（ＧＮＤ）と接続され、マイコン５０は、割込み入力ポート５３ｘ，５３ｙと同様に入力ポート５６の電圧レベルを監視し、操作体１０が押圧操作されて決定用プッシュスイッチ１５がオンになり、入力ポート５６の電圧レベルが高電位から低電位に変化した時、選択決定処理を行う。
【００３３】
図８（Ａ）は、ポインティングデバイス１の各ボリューム１３，１４の動作説明図、図８（Ｂ）は、各ボリューム摺動子位置と出力電圧との関係を示す図である。図８（Ａ）に示すように、各ＧＮＤ端子２３ａ，３３ａを接地すると共に、各電圧入力端子２２ａ，３３ａに電源電圧Ｖｃｃを印加し、各ボリューム抵抗パターン２１，３１の両端に同じ電圧Ｖｃｃを掛け、各ボリューム摺動子５，８をＡからＥに摺動させると、その時の各電圧出力端子２４ｂ，３４ｂより出力される各電圧値Ｖｘ，Ｖｙは、図８（Ｂ）に示すように、右下がりの一次直線状になる。また、ＢＤ間の非接触区間２４ｃ，３４ｃでは、各平行電極２４ａ，３４ａがないのでオープン状態となる。なお、Ｃのセンターでの各電圧値Ｖｘ，Ｖｙは、Ｖｃｃ／２である。各ボリューム摺動子５，８は、それぞれ、原点Ｏ（Ｃ）から一定量以上操作体１０がｘ軸方向及びｙ軸方向に対し操作されていない時、つまり各ボリューム摺動子５，８の摺動接点５ｅ，８ｅが各平行電極２４ａ，３４ａに設けられた各非接触区間２４ｃ，３４ｃ内（Ｂ，Ｃ間）にあり、マイコン５０からは各ボリューム回路パターン２０，３０が閉回路にはなっておらず、開回路になっている時、マイコン５０はスリープ状態である。次に、原点Ｏ（Ｃ）から一定量以上操作体１０がｘ軸方向やｙ軸方向に対し操作され、各ボリューム摺動子５，８が、例えば図８の紙面左側に向かって移動し、ＢＤ間の各非接触区間２４ｃ，３４ｃを出てＡＢ間の各平行電極２４ａ，３４ａに接触すると、割込み入力が発生し、マイコン５０がスリープ状態からウェイクアップして位置検知モードに移行し、マイコン５０の各電源電圧出力ポート５１ｘ，５１ｙから電源電圧Ｖｃｃを各電圧入力端子２２ａ，３３ａに出力させて、各入力電極パターン２２，３２から各ボリューム抵抗パターン２１，３１を通過し接地に電流が流れる。つまり各ボリューム回路パターン２０，３０上に電圧傾斜が発生する。そこで、各ボリューム摺動子５，８の摺動接点５ｄ，８ｄが接触している位置なりの各電圧値Ｖｘ，ＶｙをＡ／Ｄ変換できるので、各ボリューム摺動子５，８の位置が検出できることになる。ここで、各ボリューム摺動子５，８の摺動接点５ｅ，８ｅが各平行電極２４ａ，３４ａに設けられた各非接触区間２４ｃ，３４ｃ内（Ｂ，Ｃ間）にある時は、各ボリューム１３，１４の不感帯となり、それぞれの軸方向のプラス方向とマイナス方向を区分処理することができる。
【００３４】
以上のように実施例１によるポインティングデバイス１は、ｘｙ平面２ｃを有する基板２と、基板２のｘｙ平面２ｃ上の全方向に対し、ｘｙ平面２ｃと平行に移動可能な操作体１０と、操作体１０の移動に伴ってｘｙ平面２ｃのｘ軸方向にのみ直線的に移動し、操作体１０のｘ軸方向の位置を伝達するｘ軸方向ガイド体４と、操作体１０の移動に伴ってｘｙ平面２ｃのｙ軸方向にのみ直線的に移動し、操作体１０のｙ軸方向の位置を伝達するｙ軸方向ガイド体７と、ｘ軸方向ガイド体４に取付けられ、ｘ軸方向ガイド体４と共にｘ軸方向にのみ直線的に移動するｘ軸方向ボリューム摺動子５と、ｙ軸方向ガイド体７に取付けられ、ｙ軸方向ガイド体７と共にｙ軸方向にのみ直線的に移動するｙ軸方向ボリューム摺動子８と、ｘｙ平面２ｃ上に形成されるｘ軸方向ボリューム回路パターン２０と、ｘｙ平面２ｃ上に形成されるｙ軸方向ボリューム回路パターン３０と、を有し、各ボリューム摺動子５，８は、それぞれ、一対の摺動接点５ｄ、５ｅ，８ｄ、８ｅを設け、各ボリューム回路パターン２０，３０は、それぞれ、対応する方向のボリューム摺動子５，８の一方の摺動接点５ｄ，８ｄが摺動する矩形状の抵抗パターン２１，３１と、抵抗パターン２１，３１の両端に同じ電圧を掛けるため抵抗パターン２１，３１の一端から導出された入力電極パターン２２，３２及び抵抗パターン２１，３１の他端から導出されたＧＮＤパターン２３，３３と、対応する方向のボリューム摺動子５，８の他方の摺動接点５ｅ，８ｅが摺動する出力電極パターン２４，３４と、を有し、出力電極パターン２４，３４に、操作体１０の非操作時、他方の摺動接点５ｅ，８ｅが接触しない非接触区間２４ｃ，３４ｃを設け、操作体１０の操作時、開回路から閉回路となるようにした。このことから、テレビジョン受像機を赤外線を用いて遠隔操作するバッテリ駆動のリモコンに搭載され、テレビジョン受像機の設定時や視聴時に画面に表示される複数の選択肢の中からある選択指を指定するポインティングデバイス１の非操作時、リモコンの内蔵マイコン５０のクロックを停止したり、分周周波数に落とし、ＣＰＵをスリープ・モードにする一方、ポインティングデバイス１の操作時、ポインティングデバイス１からの割込みを利用し、Ｉ／Ｏ 端子の電圧変化により、スリープ状態のＣＰＵをウェイクアップする。これにより、ポインティングデバイス１が搭載されたリモコンの消費電力を抑えることができる。しかも、操作体１０の位置をｘ軸方向ボリューム１３及びｙ軸方向ボリューム１４によって検出可能となり、回路を簡潔化することができる。
【００３５】
また、基板２には、操作体１０の直下に二つの固定電極４１ａ，４２ａを配置するスイッチパターン４０が形成されると共に、操作体１０の押圧操作によって二つの固定電極４１ａ，４２ａを短絡する可動電極であるスナッププレート３が配置されるようにした。このことから、ポインティングデバイス１の中央部に決定用プッシュスイッチ１５を組込むことができる。
【実施例２】
【００３６】
本願請求項１に係る発明では、電源電圧Ｖｃｃの半分の値を基準に操作体１０のｘ軸方向位置及びｙ軸方向位置を検出するようになるが、本願請求項２に係る発明では、０（ゼロ）Ｖを基準にするようにする。実施例２は、その本願請求項２に係る発明の実施例である。実施例２によるポインティングデバイス１００は、実施例１によるポインティングデバイス１に対し、ｘ軸方向ボリューム回路パターン２０及びｙ軸方向ボリューム回路パターン３０の一部と、ポインティングデバイス１００とマイコン５０との接続関係の一部と、ボリューム摺動子位置と出力電圧との関係が異なる以外は同一である。
【００３７】
図９は、ポインティングデバイス１００の基板２の平面図である。図９に示すように、ポインティングデバイス１００は、各ＧＮＤパターン２３，３３が、それぞれ、その一端が対応するボリューム抵抗パターン２１，３１の中点（長手方向の中心）に当接接続され、各ボリューム抵抗パターン２１，３１は、それぞれ、その中点から二つの部分２１ａ，２１ｂ、３１ａ，３１ｂに分割される。これに伴い、各入力電極パターン２２，３２は、それぞれ、片側のボリューム抵抗パターン２１ａ，３１ａの端部から導出される第一入力電極パターン２２，３２となり、各電圧入力端子２２ａ，２３ａは、それぞれ、第一電圧入力端子２２ａ，２３ａとなる。そして、もう片側のボリューム抵抗パターン２１ｂ，３１ｂの端部から導出される第二入力電極パターン１２２，１３２が追加されており、各第二入力電極パターン１２２，１３２は、その一端が対応するボリューム抵抗パターン２１ｂ，３１ｂの端部に接続され、他端は基板２の外部接続部２ｂの上面に引出されて第二電圧入力端子１２２ａ，１３２ａになっている。
【００３８】
図１０は、ポインティングデバイス１００とマイコン５０との接続関係を示す図である。ポインティングデバイス１００は、制御部としてマイコン５０を有し、そのマイコン５０に接続されるｘ軸方向ボリューム１３及びｙ軸方向ボリューム１４と決定用プッシュスイッチ１５から構成されている。図１０に示すように、マイコン５０の各電源電圧出力ポート５１ｘ，５１ｙは、それぞれ、対応する第一入力電極パターン２２，３２の電圧入力端子２２ａ，３２ａと接続される第一電源電圧出力ポート５１ｘ，５１ｙとなり、マイコン５０の各位置検知スイッチ５５ｘ，５５ｙは、それぞれ、第一位置検知スイッチ５５ｘ，５５ｙとなる。そして、マイコン５０には、対応する第二入力電極パターン１２２，１３２の第二電圧入力端子１２２ａ，１３２ａと接続される第二電源電圧出力ポート１５１ｘ，１５１ｙと、各第一電源電圧出力ポート５１ｘ，５１ｙと同様に、各第二電源電圧出力ポート１５１ｘ，１５１ｙへの電源電圧Ｖｃｃの投入を制御する第二位置検知スイッチ１５５ｘ，１５５ｙとが、それぞれ、追加されている。
【００３９】
図１１（Ａ）は、ポインティングデバイス１００の各ボリューム１３，１４の動作説明図、図１１（Ｂ）は、ポインティングデバイス１００のボリューム摺動子位置と出力電圧との関係を示す図である。図１１（Ａ）に示すように、各ＧＮＤ端子２３ａ，３３ａを接地すると共に、各第一電圧入力端子２２ａ，３３ａ及び各第二電圧入力端子１２２ａ，１３３ａに、それぞれ、電源電圧Ｖｃｃを印加し、各ボリューム抵抗パターン２１ａ，３１ｂａの両端に同じ電圧Ｖｃｃを掛けると共に、各ボリューム抵抗パターン２１ｂ，３１ｂｂの両端にも同じ電圧Ｖｃｃを掛け、各ボリューム摺動子５，８をＡからＥに摺動させると、その時の各電圧出力端子２４ｂ，３４ｂより出力される各電圧値Ｖｘ，Ｖｙは、図８（Ｂ）に示すように、逆ハ字状になる。また、Ｃのセンターでは、各ＧＮＤパターン２３，３３により電圧０Ｖであり、ＢＤ間の各非接触区間２４ｃ，３４ｃでは、各平行電極２４ａ，３４ａがないのでオープン状態であり、各ボリューム摺動子５，８がＢからＡに移動する場合もＤからＥに移動する場合も出力は増加するため、図８（Ｂ）に示すような逆ハ字状になる。原点Ｏから一定量以上操作体１０がｘ軸方向及びｙ軸方向に対し操作されていない時、つまり各ボリューム摺動子５，８の摺動接点５ｅ，８ｅが各平行電極２４ａ，３４ａに設けられた各非接触区間２４ｃ，３４ｃ内（Ｂ，Ｃ間）にある時、実施例２のポインティングデバイス１００では、各ＧＮＤパターン２３，３３の一端が、それぞれ、対応するボリューム抵抗パターン２１，３１の中点に当接接続されているので、電圧値Ｖｘ，Ｖｙは接地電圧（０Ｖ）となる。そして、原点Ｏから一定量以上操作体１０がｘ軸方向やｙ軸方向に対し操作され、各ボリューム摺動子５，８が、例えば図１１（Ａ）の紙面左側に向かって移動し、左側のボリューム抵抗パターン２１ｂ，３１ｂ上を摺動する場合、図１１（Ａ）の紙面右側に向かって移動し、右側のボリューム抵抗パターン２１ａ，３１ａ上を摺動する場合、いずれの場合も電圧値Ｖｘ，Ｖｙは増加するため、図１１（Ｂ）に示すような逆ハ字状の出力特性となる。
【００４０】
以上のように実施例２によるポインティングデバイス１００は、ｘｙ平面２ｃを有する基板２と、基板２のｘｙ平面２ｃ上の全方向に対し、ｘｙ平面２ｃと平行に移動可能な操作体１０と、操作体１０の移動に伴ってｘｙ平面２ｃのｘ軸方向にのみ直線的に移動し、操作体１０のｘ軸方向の位置を伝達するｘ軸方向ガイド体４と、操作体１０の移動に伴ってｘｙ平面２ｃのｙ軸方向にのみ直線的に移動し、操作体１０のｙ軸方向の位置を伝達するｙ軸方向ガイド体７と、ｘ軸方向ガイド体４に取付けられ、ｘ軸方向ガイド体４と共にｘ軸方向にのみ直線的に移動するｘ軸方向ボリューム摺動子５と、ｙ軸方向ガイド体７に取付けられ、ｙ軸方向ガイド体７と共にｙ軸方向にのみ直線的に移動するｙ軸方向ボリューム摺動子８と、ｘｙ平面２ｃ上に形成されるｘ軸方向ボリューム回路パターン２０と、ｘｙ平面２ｃ上に形成されるｙ軸方向ボリューム回路パターン３０と、を有し、各ボリューム摺動子５，８は、それぞれ、一対の摺動接点５ｄ、５ｅ，８ｄ、８ｅを設け、ｘ軸方向ボリューム回路パターン２０及びｙ軸方向ボリューム回路パターン３０は、それぞれ、対応する方向のボリューム摺動子５，８の一方の摺動接点５ｄ，８ｄが摺動する矩形状の抵抗パターン２１，３１と、抵抗パターン２１，３１の両端に同じ電圧を掛けるため抵抗パターン２１，３１の一端から導出された第一入力電極パターン２２，３２及び抵抗パターン２１，３１の他端から導出された第二入力電極パターン１２２，１３２と、抵抗パターン２１，３１の中点に一端が当接されたＧＮＤパターン２３，３３と、対応する方向のボリューム摺動子５，８の他方の摺動接点５ｅ，８ｅが摺動する出力電極パターン２４，３４と、を有し、出力電極パターン２４，３４に、操作体１０の非操作時、他方の摺動接点５ｅ，８ｅが接触しない非接触区間２４ｃ，３４ｃを設け、操作体１０の操作時、開回路から閉回路となるようにした。このことから、実施例１によるポインティングデバイス１と同様の作用効果を得ることができる。
【００４１】
また、実施例２によるポインティングデバイス１００において、第一入力電極パターン２２，３２及び第二入力電極パターン１２２，１３２に代えて、抵抗パターン２１，３１の両端間を短絡する短絡用電極パターン及びその短絡用電極パターンから導出された１本の入力電極パターンを有するようにしてもよい。
【００４２】
以上、本発明の実施例を説明したが、本発明はそれに限定されず本発明の要旨を変更しない範囲内で種々変更実施することができる。
【符号の説明】
【００４３】
１，１００  ポインティングデバイス
２  基板
２ｃ  ｘｙ平面
３  可動接点
４  ｘ軸方向ガイド体
５  ｘ軸方向ボリューム摺動子
５ｄ，５ｅ  摺動接点
７  ｙ軸方向ガイド体
８  ｙ軸方向ボリューム摺動子
８ｄ，８ｅ  摺動接点
１０  操作体
２０  ｘ軸方向ボリューム回路パターン
２１  ｘ軸方向抵抗パターン
２２  ｘ軸方向入力電極パターン
２２  ｘ軸方向第一入力電極パターン
２３  ｘ軸方向ＧＮＤパターン
２４  ｘ軸方向出力電極パターン
２４ｃ  非接触区間
３０  ｙ軸方向ボリューム回路パターン
３１  ｙ軸方向抵抗パターン
３２  ｙ軸方向入力電極パターン
３２  ｙ軸方向第一入力電極パターン
３３  ｙ軸方向ＧＮＤパターン
３４  ｙ軸方向出力電極パターン
３４ｃ  非接触区間
４０  スイッチパターン
４１ａ，４２ａ  固定電極
【図１】
2014235536.tif 000003
【図２】
2014235536.tif 000004
【図３】
2014235536.tif 000005
【図４】
2014235536.tif 000006
【図５】
2014235536.tif 000007
【図６】
2014235536.tif 000008
【図７】
2014235536.tif 000009
【図８】
2014235536.tif 000010
【図９】
2014235536.tif 000011
【図１０】
2014235536.tif 000012
【図１１】
2014235536.tif 000013